(57)【要約】【課題】空気調和機に関する従来よりも正確な情報をリモコンを介してユーザに提供することができる空気調和システムを提供する。【解決手段】サーバ１００からのデータを受け付けるための空気調和機２００と、リモコン３００と、を備える空気調和システム１が提供される。そして、リモコン３００が表示する内容の少なくとも一部と、サーバ１００からのデータに基づいて空気調和機２００が実行中の制御命令の少なくとも一部と、を同期させる。【選択図】図１
2018021710.tif 000002
【特許請求の範囲】
【請求項１】
サーバからのデータを受け付けるための空気調和機と、
リモコンと、を備え、
前記リモコンが表示する情報の少なくとも一部と、前記サーバからのデータに基づいて空気調和機が実行中の制御命令の情報の少なくとも一部と、を同期させる、空気調和システム。
【請求項２】
前記リモコンが把持されたときに、または前記リモコンに運転開始命令または操作命令が入力されたときに、
前記リモコンが前記空気調和機に、前記サーバからのデータに基づいて前記空気調和機が実行中の制御命令の情報の少なくとも一部を要求する、請求項１に記載の空気調和システム。
【請求項３】
前記リモコンは定期的に前記空気調和機に、前記サーバからのデータに基づいて前記空気調和機が実行中の制御命令の情報の少なくとも一部を要求する、請求項１または２に記載の空気調和システム。
【請求項４】
前記空気調和機が前記サーバから前記制御命令を受け付けたときに、
前記空気調和機が、前記サーバからのデータに基づいて前記空気調和機が実行中の制御命令の情報の少なくとも一部を、前記リモコンに送信する、請求項１から３のいずれか１項に記載の空気調和システム。
【請求項５】
前記リモコンは、前記サーバからのデータに基づいて前記空気調和機が実行中の制御命令の情報の少なくとも一部を表示する際に、所定の画像または所定のテキストを表示する、請求項１から４のいずれか１項に記載の空気調和システム。
【請求項６】
前記空気調和機は、前記リモコンを介して入力された制御命令の情報を前記サーバにアップロードし、
前記サーバは、アップロードされた前記制御命令の情報に基づいて、前記空気調和機に対応するデータを更新する、請求項１から５のいずれか１項に記載の空気調和システム。
【請求項７】
前記空気調和機は、前記サーバからのデータに基づく制御命令を実行しているときに、前記リモコンからの所定の制御命令を受け付けると、その後の前記サーバからのデータに基づく制御命令を実行しない、請求項１から６のいずれか１項に記載の空気調和システム。
【請求項８】
前記空気調和機は、前記サーバからのデータに基づいて前記空気調和機が制御命令を実行しているときに、前記リモコンからの制御命令を受け付けても、その後の通信端末からの遠隔制御命令は実行する、請求項７に記載の空気調和システム。
【請求項９】
前記リモコンは、前記サーバからのデータに基づいて前記空気調和機が実行している制御命令の少なくとも一部を取得して記憶し、
その後に前記リモコンに運転終了命令が入力されると、前記リモコンは前記制御命令の少なくとも一部を引き続き記憶し、
その後に前記リモコンに運転開始命令に入力されると、前記リモコンは記憶していた前記制御命令の少なくとも一部を表示するまたは前記空気調和機へ制御信号として送信する、請求項１から８のいずれか１項に記載の空気調和システム。
【発明の詳細な説明】
【技術分野】
【０００１】
本発明は、空気調和機とリモコンとの技術に関し、特に外部のサーバからの制御命令を受け付ける空気調和機とそのリモコンとを含む空気調和システムの技術に関する。
【背景技術】
【０００２】
従来から、空気調和機とリモコンとに関する技術が知られている。たとえば、特開２０１４−６６５１６号公報（特許文献１）には、空気調和装置が開示されている。特許文献１によると、空気調和機に対して運転を指示する遠隔操作装置を備えた空気調和装置において、室内温度を検出する室内温度検出手段及び室内湿度を検出する室内湿度検出手段と、遠隔操作装置の筐体の幅方向の一側に配置された室内温度を設定する室内温度設定ボタンと、遠隔装置の筐体の幅方向であって室内温度設定ボタンの他側に配置された室内湿度を設定する室内湿度設定ボタンと、室内温度検出手段により検出された室内温度を室内温度設定ボタンが配置された遠隔操作装置の筐体の幅方向の一側に、室内湿度検出手段により検出された室内湿度を室内湿度設定ボタンが配置された遠隔操作装置の筐体の幅方向の他側に表示する表示部を遠隔操作装置に備えた。
【０００３】
また、特開２０１５―３１４７３号公報（特許文献２）には、空気調和機が開示されている。特許文献２によると、室内温度センサ、湿度センサ、メモリ部及び室内機制御部を具備した室内機と、室外温度センサを具備した室外機と、室内機との間で運転信号の送受信を行うリモコン装置とを有し、リモコン装置からの指示又は室内機制御部における演算に基づいて設定される運転目標としての設定温度をメモリ部に記憶しており、この設定温度に基づいて運転を行う空気調和機において、リモコンから設定温度の変更の指示を受けた場合、センサからの検出データ、設定温度を含む各種パラメータをユーザ履歴情報としてメモリ部に記憶し、各種パラメータに変化があった場合に、記憶されているユーザ履歴情報を参照して、一致又は近似のユーザ履歴情報が存在したときは、当該ユーザ履歴情報における設定温度を推奨設定温度として表示部に対して表示する。
【先行技術文献】
【特許文献】
【０００４】
【特許文献１】特開２０１４−６６５１６号公報
【特許文献２】特開２０１５―３１４７３号公報
【発明の概要】
【発明が解決しようとする課題】
【０００５】
空気調和機に関する従来よりも正確な情報をリモコンを介してユーザに提供するための技術が求められている。そこで、本発明の目的は、空気調和機に関する従来よりも正確な情報をリモコンを介してユーザに提供することができる空気調和システムを提供することにある。
【課題を解決するための手段】
【０００６】
この発明のある態様に従うと、サーバからのデータを受け付けるための空気調和機と、リモコンと、を備える空気調和システムが提供される。そして、リモコンが表示する情報の少なくとも一部と、サーバからのデータに基づいて空気調和機が実行中の制御命令の情報の少なくとも一部と、を同期させる。
【０００７】
好ましくは、リモコンが把持されたときに、またはリモコンに運転開始命令または操作命令が入力されたときに、リモコンが空気調和機に、サーバからのデータに基づいて空気調和機が実行中の制御命令の情報の少なくとも一部を要求する。
【０００８】
好ましくは、リモコンは定期的に、空気調和機に、サーバからのデータに基づいて空気調和機が実行中の制御命令の情報の少なくとも一部を要求する。
【０００９】
好ましくは、空気調和機がサーバから制御命令を受け付けたときに、空気調和機が、サーバからのデータに基づいて空気調和機が実行中の制御命令の情報の少なくとも一部を、リモコンに送信する。
【００１０】
好ましくは、リモコンは、サーバからのデータに基づいて空気調和機が実行中の制御命令の情報の少なくとも一部を表示する際に、所定の画像または所定のテキストを表示する。
【００１１】
好ましくは、空気調和機は、リモコンを介して入力された制御命令の情報をサーバにアップロードする。サーバは、アップロードされた制御命令の情報に基づいて、空気調和機に対応するデータを更新する。
【００１２】
好ましくは、空気調和機は、サーバからのデータに基づく制御命令を実行しているときに、リモコンからの所定の制御命令を受け付けると、その後のサーバからのデータに基づく制御命令を実行しない。なお、サーバからのデータに基づく制御命令を空気調和機が実行しないのは、たとえば、電源のＯＮまたはＯＦＦ命令が入力されるまで、または特殊機能のＯＮまたはＯＦＦ命令が入力されるまで、またはリモコンからの当該所定の制御命令の受け付けから所定の期間が経過するまで、の少なくともいずれかであることが好ましい。
【００１３】
好ましくは、空気調和機は、サーバからのデータに基づいて空気調和機が制御命令を実行しているときに、リモコンからの制御命令を受け付けても、その後の通信端末からの遠隔制御命令は実行する。
【００１４】
好ましくは、リモコンは、サーバからのデータに基づいて空気調和機が実行している制御命令の少なくとも一部を取得して記憶し、その後にリモコンに運転終了命令が入力されると、リモコンは制御命令の少なくとも一部を引き続き記憶し、その後にリモコンに運転開始命令に入力されると、リモコンは記憶していた制御命令の少なくとも一部を表示するまたは空気調和機へ制御信号として送信する。
【発明の効果】
【００１５】
以上のように、この発明によれば、空気調和機に関する従来よりも正確な情報をリモコンを介してユーザに提供することができる空気調和システムが提供される。
【図面の簡単な説明】
【００１６】
【図１】第１の実施の形態にかかる空気調和システム１の全体構成と動作概要とを示すイメージ図である。
【図２】第１の実施の形態にかかるリモコン３００の第１の画面例を示すイメージ図である。
【図３】第１の実施の形態にかかるリモコン３００の第２の画面例を示すイメージ図である。
【図４】第１の実施の形態にかかるサーバ１００のハードウェア構成を表わすブロック図である。
【図５】第１の実施の形態にかかるユーザお好み制御命令データベース１２１を示すイメージ図である。
【図６】第１の実施の形態にかかる電気機器データベース１２２を示すイメージ図である。
【図７】第１の実施の形態にかかるサーバ１００における情報処理を示すフローチャートである。
【図８】第１の実施の形態にかかる空気調和機２００のハードウェア構成を表わすブロック図である。
【図９】第１の実施の形態にかかるリモコン３００のハードウェア構成を表わすブロック図である。
【図１０】第２の実施の形態にかかる空気調和システム１の全体構成と動作概要とを示すイメージ図である。
【図１１】第３の実施の形態にかかる空気調和システム１の全体構成と動作概要とを示すイメージ図である。
【図１２】第４の実施の形態にかかる空気調和システム１の全体構成と動作概要とを示すイメージ図である。
【図１３】第５の実施の形態にかかる空気調和システム１の全体構成と動作概要とを示すイメージ図である。
【図１４】第６の実施の形態にかかる空気調和システム１の全体構成と動作概要とを示すイメージ図である。
【図１５】第７の実施の形態にかかる空気調和システム１の全体構成と動作概要とを示すイメージ図である。
【図１６】第８の実施の形態にかかる空気調和システム１の全体構成と動作概要とを示すイメージ図である。
【図１７】第８の実施の形態にかかるリモコン３００の画面例を示すイメージ図である。
【図１８】第８の実施の形態にかかる通信端末５００のハードウェア構成を表わすブロック図である。
【図１９】第９の実施の形態にかかる空気調和システム１の全体構成と動作概要とを示すイメージ図である。
【図２０】第１０の実施の形態にかかる空気調和システム１の全体構成と動作概要とを示すイメージ図である。
【図２１】第１１の実施の形態にかかる空気調和システム１の全体構成と動作概要とを示すイメージ図である。
【発明を実施するための形態】
【００１７】
以下、図面を参照しつつ、本発明の実施の形態について説明する。以下の説明では、同一の部品には同一の符号を付してある。それらの名称および機能も同じである。したがって、それらについての詳細な説明は繰り返さない。
＜第１の実施の形態＞
＜空気調和システム１の全体構成と動作概要＞
【００１８】
まず、本実施の形態にかかる空気調和システム１の全体構成と動作概要について説明する。図１は、本実施の形態にかかる空気調和システム１の全体構成と動作概要とを示すイメージ図である。
【００１９】
まず、図１を参照して、本実施の形態にかかる空気調和システム１の全体構成について説明する。本実施の形態にかかる空気調和システム１は、主に、サーバ１００と、インターネットやルータ４００などを介してサーバ１００に接続可能な空気調和機２００と、空気調和機２００を制御するためのリモートコントローラ３００などを含む。
【００２０】
以下では、リモートコントローラ３００は、リモコン３００ともいう。そして、リモコン３００からの命令をリモコン命令ともいい、サーバ１００からの命令をクラウド命令ともいう。本実施の形態においては、クラウド上のサーバ１００が、ユーザ毎のお好みの制御命令を記憶しており、ユーザに適した制御命令を空気調和機２００に送信するものである。
【００２１】
なお、リモコン３００は、空気調和機２００と一緒に梱包されているものである。あるいは、リモコン３００は、空気調和機２００とセットで販売されている。あるいは、リモコン３００は、空気調和機２００に専用のものである。あるいは、リモコン３００は、空気調和機２００を制御するように設定されるものである。
【００２２】
次に、図１を参照して、本実施の形態にかかる空気調和システム１の動作概要について説明する。まず、ユーザがリモコン３００に電源ＯＮ命令を入力する（ステップＳ１００）。なお、本実施の形態および別の実施の形態において、電源ＯＮ命令は、運転ＯＮ命令であってもよいし、電源ＯＦＦ命令は運転ＯＦＦ命令であってもよい。
【００２３】
リモコン３００は、赤外線通信によって空気調和機２００に制御命令を送信する（ステップＳ１０２）。ここでは、リモコン３００は、制御命令として、空気調和機２００の電源ＯＮ命令と、前回の運転終了時の運転モード、設定温度、風向き、風量などを空気調和機２００に送信する。空気調和機２００は、リモコン３００からの制御命令に基づいて動作する（ステップＳ１０４）。
【００２４】
本実施の形態においては、リモコン３００は、図２に示すように、リモコン３００から空気調和機２００に送信された制御命令、たとえば運転モード、設定温度、風向き、風量などを示す情報と、空気調和機２００がリモコン３００から入力された制御命令を実行中であることを示す「リモコン」マークを表示する。なお、「リモコン」マークは、リモコン３００に入力された制御命令を表示中であることを示すものであってもよい。
【００２５】
本実施の形態においては、サーバ１００が、インターネットやルータ４００を介して、空気調和機２００におすすめの制御命令を送信してくる（ステップＳ１０６）。空気調和機２００は、サーバ１００からの制御命令に基づいて動作する（ステップＳ１０８）。なお、この時点では、リモコン３００の表示は、図２のままであるため、実際に空気調和機２００が実行中の制御命令と異なっている可能性がある。
【００２６】
本実施の形態においては、ユーザが、リモコン３００を持ち上げたり、リモコン３００に触れたりした際に（ステップＳ１１０）、リモコン３００は、空気調和機２００に空気調和機２００が現在実行中の制御命令を要求する（ステップＳ１１２）。空気調和機２００は、リモコン３００からの要求に応じて、現在実行中のクラウド命令またはクラウド命令の一部たとえば設定温度などをリモコン３００に提供する（ステップＳ１１４）。リモコン３００は、空気調和機２００からのデータに基づいて、実際に空気調和機２００が実行中の制御命令または制御命令の一部たとえば設定温度などを表示する（ステップＳ１１６）。
【００２７】
なお、本実施の形態においては、クラウド命令またはクラウド命令の一部を空気調和機２００がリモコン３００に提供する形態であるが、リモコン命令やクラウド命令であることを選択せずに、リモコン３００より情報提供の要求があった場合は、単に、現在の制御中の情報（運転モード、設定温度、風向き、風量など）を示す情報や、リモコン３００による制御状態かクラウドによる制御状態かの情報を提供する形態であってもよい。
【００２８】
そして、本実施の形態においては、リモコン３００は、図３に示すように、空気調和機２００からリモコン３００に提供されたクラウド命令に関する情報に基づいて、たとえば運転モード、設定温度、風向き、風量などを示す情報と、空気調和機２００がクラウド上のサーバ１００からの命令を実行中であることを示す「クラウド」マークを表示する。なお、「クラウド」マークは、クラウドから空気調和機２００に入力された制御命令を表示中であることを示すものであってもよい。
【００２９】
以上のように、本実施の形態にかかる空気調和システム１においては、リモコン３００の表示内容が空気調和機２００の実行中の命令と一致しやすくなるため、ユーザが空気調和機２００の実行中の命令を誤って認識したり、その結果意図しない命令を空気調和機２００に入力したりしてしまう可能性を低減することが可能になる。以下、このような機能を実現するための空気調和システム１の具体的な構成について詳述する。
＜サーバ１００のハードウェア構成＞
【００３０】
まず、本実施の形態にかかる空気調和システム１を構成するサーバ１００のハードウェア構成の一態様について説明する。なお、図４は、本実施の形態にかかるサーバ１００のハードウェア構成を表わすブロック図である。
【００３１】
図４を参照して、サーバ１００は、主たる構成要素として、ＣＰＵ（Central Processing Unit）１１０と、メモリ１２０と、ディスプレイ１３０と、操作部１４０と、通信インターフェイス１６０とを含む。
【００３２】
ＣＰＵ１１０は、メモリ１２０に記憶されているプログラムを実行することによって、サーバ１００の各部を制御する。たとえば、ＣＰＵ１１０は、メモリ１２０に格納されているプログラムを実行し、各種のデータを参照することによって、後述する各種の処理を実行する。
【００３３】
メモリ１２０は、各種のＲＡＭ（Random  Access  Memory）、各種のＲＯＭ（Read-Only  Memory）などによって実現される。メモリ１２０は、ＣＰＵ１１０によって実行されるプログラムや、ＣＰＵ１１０によるプログラムの実行により生成されたデータ、入力されたデータ、ユーザお好み制御命令データベース１２１、電気機器データベース１２２、その他の本実施の形態にかかる情報提供サービスに利用されるデータベースなどを記憶する。なお、本実施の形態においては、これらのデータベースなどの情報がサーバ１００に格納されているが、それらの情報はサーバ１００がアクセス可能な他の装置に格納されてもよい。
【００３４】
図５は、本実施の形態にかかるユーザお好み制御命令データベース１２１を示すイメージ図である。図５を参照して、本実施の形態にかかるユーザお好み制御命令データベース１２１は、命令毎に、主に、命令ＩＤと、機器ＩＤと、ユーザＩＤと、命令が有効にされる季節または日付と、命令が有効にされる時間帯と、命令が有効にされる外気温と、運転モードと、設定温度などの対応関係を含む。
【００３５】
図６は、本実施の形態にかかる電気機器データベース１２２を示すイメージ図である。図６を参照して、本実施の形態にかかる電気機器データベース１２２は、機器毎に、主に、機器ＩＤ、ユーザＩＤと、機器又はユーザの所在地の郵便番号と、住所などの対応関係を含む。
【００３６】
図４に戻って、ディスプレイ１３０は、ＣＰＵ１１０からの信号に基づいて、テキストや画像を表示する。操作部１４０は、サービスの管理者などの命令を受け付けて、当該命令をＣＰＵ１１０に入力する。
【００３７】
通信インターフェイス１６０は、ＣＰＵ１１０からのデータを、インターネット、キャリア網、ルータ４００などを介して、空気調和機２００やリモコン３００などの他の装置に送信する。逆に、通信インターフェイス１６０は、インターネット、キャリア網、ルータ４００などを介して空気調和機２００やリモコン３００などの他の装置からのデータを受信して、ＣＰＵ１１０に受け渡す。
＜サーバ１００における情報処理＞
【００３８】
次に、図７を参照しながら、本実施の形態にかかるサーバ１００における情報処理について説明する。なお、図７は、本実施の形態にかかるサーバ１００における情報処理を示すフローチャートである。
【００３９】
サーバ１００のＣＰＵ１１０は、通信インターフェイス１６０を介して、空気調和機２００などの電気機器からデータを受信すると、以下の処理を実行する。ＣＰＵ１１０は、受信したデータから機器ＩＤを取り出す（ステップＳ１０２）。
【００４０】
ＣＰＵ１１０は、機器ＩＤに基づいて空気調和機２００が配置されている場所の郵便番号や住所を読み出す。ＣＰＵ１１０は、郵便番号や住所に基づいて、天気予報サーバなどから天候や気温を取得したり、空気調和機２００から受信したデータから外気温度や室内温度などを取得したりする（ステップＳ１０４）。
【００４１】
ＣＰＵ１１０は、ユーザお好み制御命令データベース１２１を参照して、取得した条件に対応する命令があるか否かを判断する（ステップＳ１０６）。ＣＰＵ１１０は、条件に対応する命令がなかった場合（ステップＳ１０６にてＮＯである場合）、通信インターフェイス１６０を介して、次の電気機器からのデータを待ち受ける。
【００４２】
一方、ＣＰＵ１１０は、条件に対応する命令が見つかった場合（ステップＳ１０６にてＹＥＳである場合）、通信インターフェイス１６０を介して、運転モードや設定温度などの制御命令を空気調和機２００に送信する（ステップＳ１０８）。ＣＰＵ１１０は、通信インターフェイス１６０を介して、次の電気機器からのデータを待ち受ける。
＜空気調和機２００のハードウェア構成＞
【００４３】
次に、空気調和システム１を構成する空気調和機２００のハードウェア構成の一態様について説明する。なお、図８は、本実施の形態にかかる空気調和機２００のハードウェア構成を表わすブロック図である。
【００４４】
図８を参照して、空気調和機２００は、主たる構成要素として、ＣＰＵ２１０と、メモリ２２０と、ディスプレイ２３０、操作部２４０と、通信インターフェイス２６０と、赤外線発信部２７０と、赤外線受信部２８０と、機器駆動部２９０と、を含む。
【００４５】
ＣＰＵ２１０は、メモリ２２０あるいは外部の記憶媒体に記憶されているプログラムを実行することによって、空気調和機２００の各部を制御する。
【００４６】
メモリ２２０は、各種のＲＡＭ、各種のＲＯＭなどによって実現される。メモリ２２０は、ＣＰＵ２１０によって実行されるプログラムや、ＣＰＵ２１０によるプログラムの実行により生成されたデータ、操作部２４０を介して入力されたデータ、リモコン３００から受信したデータ、ルータ４００やインターネットを介してサーバ１００から受信したデータなどを記憶する。
【００４７】
ディスプレイ２３０は、ＣＰＵ２１０からの信号に基づいて、文字や画像などを出力する。なお、ディスプレイ２３０は、ＬＥＤが点灯、消灯、点滅などをすることで、運転ＯＮ／ＯＦＦの状態示すＬＥＤや、イオン発生装置の運転ＯＮ／ＯＦＦ状態を示すＬＥＤ、タイマー設定状態を示すＬＥＤなどの複数のＬＥＤから構成される表示部であってもよい。
【００４８】
操作部２４０は、ボタン、タッチパネルなどによって実現され、ユーザからの命令を受け付けて、当該命令をＣＰＵ２１０に入力する。なお、ディスプレイ２３０と操作部２４０とは、タッチパネルを構成してもよい。
【００４９】
通信インターフェイス２６０は、無線ＬＡＮまたは有線ＬＡＮなどの通信モジュールによって実現される。通信インターフェイス２６０は、有線通信あるいは無線通信によって他の装置との間でデータをやり取りする。すなわち、ＣＰＵ２１０は、通信インターフェイス２６０を介して、サーバ１００やリモコン３００などの他の装置から各種の情報を受信したり、当該他の装置に各種の情報を送信したりする。
【００５０】
赤外線発信部２７０は、ＣＰＵ２１０からの信号に基づいて、赤外線信号を発信する。たとえば、ＣＰＵ２１０は、赤外線発信部２７０を介して、現在実行中の制御命令、たとえば設定温度など、の内容を示す情報や各種情報をリモコン３００に提供する。
【００５１】
赤外線受信部２８０は、リモコン３００などからの赤外線信号を検知して、ＣＰＵ２１０に受信信号を入力する。たとえば、ＣＰＵ２１０は、赤外線受信部２８０を介して、リモコン３００から電源ＯＮ／ＯＦＦ命令、その他の制御命令や各種データなどを受け付ける。
【００５２】
機器駆動部２９０は、ＣＰＵ２１０からの信号に基づいて、電気機器である空気調和機の各部（モータやヒータなど）を制御する。
＜リモコン３００のハードウェア構成＞
【００５３】
まず、空気調和システム１を構成するリモコン３００のハードウェア構成の一態様について説明する。なお、図９は、本実施の形態にかかるリモコン３００のハードウェア構成を表わすブロック図である。
【００５４】
図９を参照して、リモコン３００は、主たる構成要素として、ＣＰＵ３１０と、メモリ３２０と、ディスプレイ３３０、操作部３４０と、赤外線発信部３７０と、赤外線受信部３８０と、タッチセンサ３９０とを含む。
【００５５】
ＣＰＵ３１０は、メモリ３２０あるいは外部の記憶媒体に記憶されているプログラムを実行することによって、リモコン３００の各部を制御する。
【００５６】
メモリ３２０は、各種のＲＡＭ、各種のＲＯＭなどによって実現される。メモリ３２０は、ＣＰＵ３１０によって実行されるプログラムや、ＣＰＵ３１０によるプログラムの実行により生成されたデータ、操作部３４０を介して入力されたデータ、空気調和機２００から受信したデータなどを記憶する。
【００５７】
表示部であるディスプレイ３３０は、ＣＰＵ３１０からの信号に基づいて、文字や画像などを出力する。
【００５８】
操作部３４０は、ボタン、タッチパネルなどによって実現され、ユーザからの命令を受け付けて、当該命令をＣＰＵ３１０に入力する。なお、ディスプレイ３３０と操作部３４０とは、タッチパネルを構成してもよい。
【００５９】
赤外線発信部３７０は、ＣＰＵ３１０からの信号に基づいて、赤外線信号を発信する。赤外線受信部３８０は、空気調和機２００などからの赤外線信号を検知して、ＣＰＵ３１０に受信信号を入力する。
【００６０】
たとえば、ＣＰＵ３１０は、操作部３４０を介してユーザから受け付けた電源ＯＮ／ＯＦＦ命令、その他の制御命令、実行中の制御命令の要求などを、赤外線発信部３７０を介して、空気調和機２００に送信する。そして、ＣＰＵ３１０は、赤外線受信部３８０を介して空気調和機２００から、空気調和機２００が現在実行中の制御命令、たとえば設定温度など、の内容を示す情報を取得して、メモリ３２０に記憶させたり、ディスプレイ３３０に表示させたりする。
【００６１】
タッチセンサ３９０は、物体がリモコン３００に振れたことを検知して、検知結果をＣＰＵ３１０に受け渡す。ＣＰＵ３１０は、タッチセンサ３９０からの検知結果に基づいて、ユーザにタッチされたことや、ユーザに把持されたことなどを判断する。
＜第２の実施の形態＞
【００６２】
第１の実施の形態においては、リモコン３００をユーザが保持した際に空気調和機２００が実行中の命令とリモコン３００の表示内容とを同期させるものであった。しかしながら、空気調和機２００が実行中の命令とリモコン３００の表示内容との同期のタイミングはそのような形態には限られない。たとえば、ユーザがリモコン３００に空気調和機２００に対する操作命令を入力したときに、空気調和機２００が実行中の制御命令とリモコン３００の表示内容とが同期するような形態も考えられる。
【００６３】
以下では、図１０を参照しながら、本実施の形態にかかる空気調和システム１の動作について説明する。なお、ステップＳ１００からステップＳ１０８までの動作は、第１の実施の形態のそれらと同様であるため、ここでは説明を繰り返さない。すなわち、ステップＳ１０８の時点では、リモコン３００の表示は、図２のままであるため、実際に空気調和機２００が実行中の制御命令と異なっている可能性がある。
【００６４】
本実施の形態においては、ユーザが、リモコン３００に空気調和機２００の操作命令を入力した際に（ステップＳ１１０）、リモコン３００が、空気調和機２００に空気調和機２００が現在実行中の制御命令を要求する（ステップＳ１１２）。空気調和機２００は、リモコン３００からの要求に応じて、現在実行中のクラウド命令またはクラウド命令の一部たとえば設定温度、などをリモコン３００に提供する（ステップＳ１１４）。リモコン３００は、空気調和機２００からのデータに基づいて、実際に空気調和機２００が実行中の制御命令または制御命令の一部たとえば設定温度などを表示する（ステップＳ１１６）。
【００６５】
なお、本実施の形態においては、クラウド命令またはクラウド命令の一部を空気調和機２００がリモコン３００に提供する形態であるが、リモコン命令やクラウド命令であることを選択せずに、リモコン３００より情報提供の要求があった場合は、単に、現在の制御中の情報（運転モード、設定温度、風向き、風量など）を示す情報や、リモコン３００による制御状態かクラウドによる制御状態かの情報を提供する形態であってもよい。
【００６６】
そして、本実施の形態においては、リモコン３００は、図３に示すように、空気調和機２００からリモコン３００に提供されたクラウド命令に関する情報に基づいて、たとえば運転モード、設定温度、風向き、風量などを示す情報と、空気調和機２００がクラウド上のサーバ１００からの命令を実行中であることを示す「クラウド」マークを表示する。これによって、ユーザは、空気調和機２００の現在の設定温度を正確に認識することができるようになる。
＜第３の実施の形態＞
【００６７】
第１の実施の形態においては、リモコン３００をユーザが保持した際に空気調和機２００が実行中の命令とリモコン３００の表示内容とを同期させるものであった。しかしながら、空気調和機２００が実行中の命令とリモコン３００の表示内容との同期のタイミングはそのような形態には限られない。たとえば、ユーザがリモコン３００に空気調和機２００の電源ＯＮ命令を入力したときに、空気調和機２００が実行中の命令とリモコン３００の表示内容とが同期する形態が考えられる。
【００６８】
以下では、図１１を参照しながら、本実施の形態にかかる空気調和システム１の動作概要について説明する。
【００６９】
まず、本実施の形態においては、空気調和機２００が電源ＯＦＦされた後に、サーバ１００が、インターネットやルータ４００を介して、空気調和機２００におすすめの制御命令を送信してくる場合がある（ステップＳ１００）。空気調和機２００は、電源ＯＮされた際に、サーバ１００からの制御命令に基づいて動作する。通常の空気調和システム１では、リモコン３００の表示は、図２のままであるため、実際に空気調和機２００が実行中の制御命令と異なっている可能性がある。
【００７０】
あるいは、空気調和機２００が前回の動作中に、サーバ１００が、インターネットやルータ４００を介して、空気調和機２００におすすめの制御命令を送信してくる場合がある（ステップＳ１００）。空気調和機２００は、サーバ１００からの制御命令に基づいて動作する。なお、この時点では、リモコン３００の表示は、図２のままであるため、実際に空気調和機２００が実行中の制御命令と異なっている可能性がある。そして、この状態で、電源がＯＦＦされる場合がある。
【００７１】
本実施の形態においては、ユーザがリモコン３００に電源ＯＮ命令を入力する（ステップＳ１０２）。リモコン３００は、赤外線通信によって空気調和機２００に制御命令を送信する（ステップＳ１０４）。ここでは、リモコン３００は、制御命令として、空気調和機２００の電源ＯＮ命令と、前回の運転終了時の運転モード、設定温度、風向き、風量などを空気調和機２００に送信する。空気調和機２００は、既にサーバ１００から制御命令を受け付けているので、リモコン３００からの電源ＯＮ命令を受け付けた際には、リモコン３００からの設定温度などは無視して、サーバ１００からの制御命令を実行する（ステップＳ１０６）。
【００７２】
そして、本実施の形態においては、空気調和機２００は、電源ＯＮ命令に応じて、現在実行中のクラウド命令をリモコン３００に提供する（ステップＳ１０８）。なお、リモコン３００が、電源ＯＮ命令に合わせて、空気調和機２００が現在実行中の制御命令を要求してもよい。リモコン３００は、空気調和機２００からのデータに基づいて、実際に空気調和機２００が実行中の制御命令を表示する（ステップＳ１１０）。
【００７３】
なお、本実施の形態においては、クラウド命令またはクラウド命令の一部を空気調和機２００がリモコン３００に提供する形態であるが、リモコン命令やクラウド命令であることを選択せずに、リモコン３００より情報提供の要求があった場合は、単に、現在の制御中の情報（運転モード、設定温度、風向き、風量など）を示す情報や、リモコン３００による制御状態かクラウドによる制御状態かの情報を提供する形態であってもよい。
【００７４】
そして、本実施の形態においては、リモコン３００は、図３に示すように、空気調和機２００からリモコン３００に提供されたクラウド命令に関する情報に基づいて、たとえば運転モード、設定温度、風向き、風量などを示す情報と、空気調和機２００がクラウド上のサーバ１００からの命令を実行中であることを示す「クラウド」マークを表示する。これによって、ユーザは、空気調和機２００の現在の設定温度を正確に認識することができるようになる。
【００７５】
なお、本実施の形態においては、リモコン３００に空気調和機２００の電源ＯＦＦ命令が入力された際に（ステップＳ１２２）、リモコン３００は電源ＯＦＦ命令と空気調和機２００が実行中の制御命令の要求とを空気調和機２００に送信してもよい（ステップＳ１２４）。そして、空気調和機２００は、電源ＯＦＦする直前に実行中の制御命令をリモコン３００に送信する（ステップＳ１２６）。
【００７６】
リモコン３００のＣＰＵ３１０は、電源がＯＦＦされる直前の空気調和機２００が実行中の制御命令をメモリ３２０に格納する（ステップＳ１２８）。これによって、次回、リモコン３００が空気調和機２００に電源ＯＮ命令を送信する際に、今回の電源がＯＦＦされる直前の空気調和機２００が実行中の制御命令を空気調和機２００に送信したり、今回の電源がＯＦＦされる直前の空気調和機２００が実行中の制御命令をディスプレイ３３０に表示したりすることができる。
【００７７】
なお、リモコン３００のＣＰＵ３１０は、単に定期的に、または別のタイミングで、空気調和機２００から実行中の制御命令の一部または全部を取得してメモリ３２０に格納するものであってもよい。そして、次回、リモコン３００が空気調和機２００に電源ＯＮ命令を送信する際に、空気調和機２００が前回に実行していた制御命令の一部または全部をリモコン３００が空気調和機２００に送信したり、空気調和機２００が前回に実行していた制御命令の一部または全部をリモコン３００のディスプレイ３３０に表示したりする構成であってもよい。
＜第４の実施の形態＞
【００７８】
第１の実施の形態においては、リモコン３００をユーザが保持した際に空気調和機２００が実行中の命令とリモコン３００の表示内容とを同期させるものであった。しかしながら、空気調和機２００が実行中の命令とリモコン３００の表示内容との同期のタイミングはそのような形態には限られない。たとえば、空気調和機２００が、サーバ１００からの制御命令を受け付けた際、またはサーバ１００からの制御命令を実行し始めた際に、空気調和機２００が当該制御命令を示すデータをリモコン３００に提供する形態が考えられる。
【００７９】
以下では、図１２を参照しながら、本実施の形態にかかる空気調和システム１の動作概要について説明する。なお、ステップＳ１００からステップＳ１０８までの動作は、第１の実施の形態のそれらと同様であるため、ここでは説明を繰り返さない。すなわち、ステップＳ１０８の時点では、リモコン３００の表示は、図２のままであるため、実際に空気調和機２００が実行中の制御命令と異なっている可能性がある。
【００８０】
本実施の形態においては、空気調和機２００が、サーバ１００からの制御命令を受け付けた際、またはサーバ１００からの制御命令を実行し始めた際に、空気調和機２００が当該制御命令を示すデータをリモコン３００に提供する（ステップＳ１１０）。
【００８１】
リモコン３００は、空気調和機２００からのデータに基づいて、実際に空気調和機２００が実行中の制御命令を表示する（ステップＳ１１２）。
【００８２】
なお、本実施の形態においては、リモコン命令やクラウド命令であることを選択せずに、リモコン３００からの要求やサーバ１００から何らかのデータを受信した際に、空気調和機２００が、単に、現在の制御中の情報（運転モード、設定温度、風向き、風量など）を示す情報や、リモコン３００による制御状態かクラウドによる制御状態かの情報を提供する形態であってもよい。
【００８３】
そして、本実施の形態においては、リモコン３００は、図３に示すように、空気調和機２００からリモコン３００に提供されたクラウド命令に関する情報に基づいて、たとえば運転モード、設定温度、風向き、風量などを示す情報と、空気調和機２００がクラウド上のサーバ１００からの命令を実行中であることを示す「クラウド」マークを表示する。これによって、ユーザは、空気調和機２００の現在の設定温度を正確に認識することができるようになる。
＜第５の実施の形態＞
【００８４】
第１の実施の形態においては、リモコン３００をユーザが保持した際に空気調和機２００が実行中の命令とリモコン３００の表示内容とを同期させるものであった。しかしながら、空気調和機２００が実行中の命令とリモコン３００の表示内容との同期のタイミングはそのような形態には限られない。たとえば、リモコン３００が、定期的に空気調和機２００に、サーバ１００から受け付けて実行中の制御命令を示すデータを要求する形態が考えられる。
【００８５】
以下では、図１３を参照しながら、本実施の形態にかかる空気調和システム１の動作概要について説明する。なお、ステップＳ１００からステップＳ１０８までの動作は、第１の実施の形態のそれらと同様であるため、ここでは説明を繰り返さない。すなわち、ステップＳ１０８の時点では、リモコン３００の表示は、図２のままであるため、実際に空気調和機２００が実行中の制御命令と異なっている可能性がある。
【００８６】
本実施の形態においては、リモコン３００が、定期的に、たとえ５分経過する毎に（ステップＳ１１０）、空気調和機２００に、実際に空気調和機２００が実行中の制御命令を要求する（ステップＳ１１２）。
【００８７】
空気調和機２００は、リモコン３００からの要求に基づいて、空気調和機２００が当該制御命令を示すデータをリモコン３００に提供する（ステップＳ１１４）。
【００８８】
リモコン３００は、空気調和機２００からのデータに基づいて、実際に空気調和機２００が実行中の制御命令を表示する（ステップＳ１１６）。
【００８９】
なお、本実施の形態においては、クラウド命令またはクラウド命令の一部を空気調和機２００がリモコン３００に提供する形態であるが、リモコン命令やクラウド命令であることを選択せずに、リモコン３００より情報提供の要求があった場合は、単に、現在の制御中の情報（運転モード、設定温度、風向き、風量など）を示す情報や、リモコン３００による制御状態かクラウドによる制御状態かの情報を提供する形態であってもよい。
【００９０】
本実施の形態においては、リモコン３００は、図３に示すように、空気調和機２００からリモコン３００に提供されたクラウド命令に関する情報に基づいて、たとえば運転モード、設定温度、風向き、風量などを示す情報と、空気調和機２００がクラウド上のサーバ１００からの命令を実行中であることを示す「クラウド」マークを表示する。これによって、ユーザは、空気調和機２００の現在の設定温度を正確に認識することができるようになる。
＜第６の実施の形態＞
【００９１】
第１の実施の形態においては、空気調和機２００がサーバ１００からのクラウド命令に応じて運転されているときでも、空気調和機２００が実行中の制御命令をリモコン３００が表示するものであった。本実施の形態においては、それらの機能に加えて、空気調和機２００がクラウド命令を実行しているときにリモコン３００からの命令が入力されると、空気調和機２００はそれ以降のサーバ１００からのクラウド命令を実行しない。
【００９２】
以下では、図１４を参照しながら、本実施の形態にかかる空気調和システム１の動作概要について説明する。なお、ステップＳ１００から、リモコン３００が、空気調和機２００からのデータに基づいて、実際に空気調和機２００が実行中の制御命令を表示する（ステップＳ１１６）までの動作は、第１の実施の形態のそれと同様であるため、ここでは説明を繰り返さない。
【００９３】
空気調和機２００が、クラウド命令を実行中（ステップＳ１０８）に、ユーザがリモコン３００に新たな制御命令を入力する（ステップＳ１１８）。リモコン３００は、ユーザの命令に基づいて制御命令を空気調和機２００に送信する（ステップＳ１２０）。空気調和機２００は、リモコン命令を実行する（ステップＳ１２２）。
【００９４】
これ以降、空気調和機２００は、サーバ１００からクラウド命令を受け付けても、当該クラウド命令を実行しない、あるいは受け付けない。すなわち、サーバ１００が、インターネットやルータ４００を介して、空気調和機２００におすすめの制御命令を送信してきても（ステップＳ１２４）、先にリモコン命令によってクラウド命令をキャンセルした空気調和機２００は、サーバ１００からのクラウド命令を実行しない（ステップＳ１２６）。
【００９５】
ただし、空気調和機２００は、リモコン３００からの所定の制御命令、たとえば、冷房時または暖房時の設定温度の変更命令など、を受け付けた場合にサーバ１００からのクラウド命令を実行しなく構成されてもよい。すなわち、空気調和機２００は、リモコン３００から別の制御命令、たとえば、風向きの変更命令や、イオンの出力命令など、を受けた場合は、引き続きサーバ１００からのクラウド命令に従ってもよい。
【００９６】
また、より詳細には、空気調和機２００は、サーバ１００からのクラウド命令を実行しない状態であっても、たとえば、電源のＯＮまたはＯＦＦ命令が入力されたり、または特殊機能のＯＮまたはＯＦＦ命令が入力されたり、またはリモコン３００からの当該所定の制御命令の受け付けから所定の期間（たとえば１時間）が経過したりした場合は、再度クラウド命令に従い始めてもよい。
＜第７の実施の形態＞
【００９７】
第１の実施の形態においては、空気調和機２００がサーバ１００からのクラウド命令に応じて運転されているときでも、空気調和機２００が実行中の制御命令をリモコン３００が表示するものであった。本実施の形態においては、それらの機能に加えて、空気調和機２００がクラウド命令を実行しているときにリモコン３００からの命令が入力されると、空気調和機２００はリモコン３００からの命令をサーバ１００に提供し、サーバ１００が当該情報に基づいてユーザの好みの制御を学習していく。
【００９８】
以下では、図１５を参照しながら、本実施の形態にかかる空気調和システム１の動作概要について説明する。なお、ステップＳ１００から、リモコン３００が、空気調和機２００からのデータに基づいて、実際に空気調和機２００が実行中の制御命令を表示する（ステップＳ１１６）までの動作は、第１の実施の形態のそれと同様であるため、ここでは説明を繰り返さない。
【００９９】
空気調和機２００が、クラウド命令を実行中（ステップＳ１０８）に、ユーザがリモコン３００に新たな制御命令を入力する（ステップＳ１１８）。リモコン３００は、ユーザの命令に基づいて制御命令を空気調和機２００に送信する（ステップＳ１２０）。空気調和機２００は、リモコン命令を実行する（ステップＳ１２２）。
【０１００】
本実施の形態においては、空気調和機２００は、クラウド命令実行中に受け付けたリモコン命令をサーバ１００に送信する（ステップＳ１２４）。サーバ１００は、空気調和機２００から受け付けたユーザ命令に基づいて、ユーザの好みの操作を学習していく（ステップＳ１２６）。すなわち、サーバ１００は、その時の、日時や、天候や、外気温などに対応付けて、対象となる空気調和機またはユーザのお好みの運転モードや設定温度などをユーザお好み制御命令データベース１２１に蓄積または更新していく。
【０１０１】
なお、本実施の形態においても、これ以降、空気調和機２００は、サーバ１００からクラウド命令を受け付けても、当該クラウド命令を実行しない、あるいは受け付けない、ことが好ましい。
＜第８の実施の形態＞
【０１０２】
第１の実施の形態においては、空気調和機２００がサーバ１００からのクラウド命令に応じて運転されているときでも、空気調和機２００が実行中の制御命令をリモコン３００が表示するものであった。本実施の形態においては、それらの機能に加えて、空気調和機２００が、空気調和機２００はスマートフォンなどの通信端末５００からの遠隔制御命令を実行する。
【０１０３】
以下では、図１６を参照しながら、本実施の形態にかかる空気調和システム１の動作概要について説明する。なお、ステップＳ１００から、リモコン３００が、空気調和機２００からのデータに基づいて、実際に空気調和機２００が実行中の制御命令を表示する（図１のステップＳ１１６）までの動作は、第１の実施の形態のそれらと同様であるため、ここでは説明を繰り返さない。
【０１０４】
ユーザが通信端末５００Ａまたは通信端末５００Ｂに空気調和機２００の遠隔制御命令を入力すると、通信端末５００Ａまたは通信端末５００Ｂはサーバ１００またはルータ４００などを介して遠隔制御命令を空気調和機２００に送信する（ステップＳ１１８、ステップＳ１２０）に送信する。空気調和機２００は、通信端末５００Ａ，５００Ｂからの遠隔制御命令を受け付けて実行する（ステップＳ１２２）。
【０１０５】
なお、この時点では、リモコン３００の表示は、図２のままであるため、実際に空気調和機２００が実行中の制御命令と異なっている可能性がある。
【０１０６】
本実施の形態においては、ユーザが、リモコン３００を持ち上げたり、リモコン３００に触れたりした際に（ステップＳ１２４）、リモコン３００は、空気調和機２００に空気調和機２００が現在実行中の制御命令を要求する（ステップＳ１２６）。空気調和機２００は、リモコン３００からの要求に応じて、現在実行中の遠隔制御命令をリモコン３００に提供する（ステップＳ１２８）。リモコン３００は、空気調和機２００からのデータに基づいて、実際に空気調和機２００が実行中の制御命令を表示する（ステップＳ１３０）。
【０１０７】
なお、本実施の形態においては、クラウド命令またはクラウド命令の一部だけでなく遠隔制御命令や遠隔制御命令を空気調和機２００がリモコン３００に提供する形態であるが、リモコン命令やクラウド命令や遠隔制御命令であることを選択せずに、リモコン３００より情報提供の要求があった場合は、単に、現在の制御中の情報（運転モード、設定温度、風向き、風量など）を示す情報や、リモコン３００による制御状態かクラウドによる制御状態か通信端末５００からの遠隔制御状態かの情報を提供する形態であってもよい。
【０１０８】
そして、本実施の形態においては、リモコン３００は、図１７に示すように、空気調和機２００からリモコン３００に提供された遠隔制御命令に関する情報に基づいて、たとえば運転モード、設定温度、風向き、風量などを示す情報と、空気調和機２００がスマートフォンなどの通信端末５００からの命令を実行中であることを示す「遠隔制御」マークを表示する。
【０１０９】
なお、本実施の形態にかかる空気調和システム１を構成する通信端末５００のハードウェア構成は、図１８に示すように、通常のスマートフォン、タブレット、パーソナルコンピュータ、ゲーム機などと同様であるため、ここでは説明を繰り返さない。
＜第９の実施の形態＞
【０１１０】
第１から第５の実施の形態においては、空気調和機２００がサーバ１００からのクラウド命令に応じて運転されているときでも、空気調和機２００が実行中の制御命令をリモコン３００が表示するものであった。そして、第６および第７の実施の形態においては、空気調和機２００がクラウド命令を実行しているときにリモコン３００からの命令が入力されると、空気調和機２００はそれ以降のクラウド命令を実行しないものであった。本実施の形態においては、それらの機能に加えて、空気調和機２００がクラウド命令を実行しない状態においても、空気調和機２００はスマートフォンなどの通信端末５００からの遠隔制御命令を実行する。
【０１１１】
以下では、図１９を参照しながら、本実施の形態にかかる空気調和システム１の動作概要について説明する。なお、リモコン３００が、空気調和機２００からのデータに基づいて、実際に空気調和機２００が実行中の制御命令を表示する（図１のステップＳ１１６）までの動作は、第１の実施の形態と同様であるため、ここでは説明を繰り返さない。
【０１１２】
空気調和機２００が、クラウド命令を実行中（ステップＳ１０８）に、ユーザがリモコン３００に新たな制御命令を入力する（ステップＳ１１８）。リモコン３００は、ユーザの命令に基づいて制御命令を空気調和機２００に送信する（ステップＳ１２０）。空気調和機２００は、リモコン命令を実行する（ステップＳ１２２）。
【０１１３】
これ以降、空気調和機２００は、サーバ１００からクラウド命令を受け付けても、当該クラウド命令を実行しない、あるいは受け付けない。すなわち、サーバ１００が、インターネットやルータ４００を介して、空気調和機２００におすすめの制御命令を送信してきても（ステップＳ１２４）、先にリモコン命令によってクラウド命令をキャンセルした空気調和機２００は、サーバ１００からのクラウド命令を実行しない（ステップＳ１２６）。
【０１１４】
一方、ユーザが通信端末５００Ａまたは通信端末５００Ｂに空気調和機２００の遠隔制御命令を入力すると、通信端末５００Ａまたは通信端末５００Ｂはサーバ１００またはルータ４００などを介して遠隔制御命令を空気調和機２００に送信する（ステップＳ１２８、ステップＳ１３０）に送信する。空気調和機２００は、クラウド命令を実行しない状態においても、通信端末５００Ａ，５００Ｂからの遠隔制御命令は受け付けて実行する（ステップＳ１３２）。
【０１１５】
なお、この時点では、リモコン３００の表示は、図２のままであるため、実際に空気調和機２００が実行中の制御命令と異なっている可能性がある。
【０１１６】
本実施の形態においては、ユーザが、リモコン３００を持ち上げたり、リモコン３００に触れたりした際に（ステップＳ１３４）、リモコン３００は、空気調和機２００に空気調和機２００が現在実行中の制御命令を要求する（ステップＳ１３６）。空気調和機２００は、リモコン３００からの要求に応じて、現在実行中の遠隔制御命令をリモコン３００に提供する（ステップＳ１３８）。リモコン３００は、空気調和機２００からのデータに基づいて、実際に空気調和機２００が実行中の制御命令を表示する（ステップＳ１４０）。
【０１１７】
なお、本実施の形態においては、クラウド命令またはクラウド命令の一部だけでなく遠隔制御命令や遠隔制御命令を空気調和機２００がリモコン３００に提供する形態であるが、リモコン命令やクラウド命令や遠隔制御命令であることを選択せずに、リモコン３００より情報提供の要求があった場合は、単に、現在の制御中の情報（運転モード、設定温度、風向き、風量など）を示す情報や、リモコン３００による制御状態かクラウドによる制御状態か通信端末５００からの遠隔制御状態かの情報を提供する形態であってもよい。
【０１１８】
そして、本実施の形態においては、リモコン３００は、図１７に示すように、空気調和機２００からリモコン３００に提供された遠隔制御命令に関する情報に基づいて、たとえば運転モード、設定温度、風向き、風量などを示す情報と、空気調和機２００がスマートフォンなどの通信端末５００からの命令を実行中であることを示す「遠隔制御」マークを表示する。
＜第１０の実施の形態＞
【０１１９】
第１〜第９の実施の形態にかかる空気調和システム１は、リモコン３００が赤外線通信によって空気調和機２００と情報のやり取りを行うものであった。しかしながら、そのような形態には限られない。本実施の形態においては、図２０に示すように、リモコン３００が、ＷｉＦｉ（登録商標）やＢｌｕｅｔｏｏｔｈ（登録商標）やｚｉｇｂｅｅ（登録商標）の通信を介して、空気調和機２００に制御命令や各種の要求を送信したり、空気調和機２００から実行中の制御命令を取得したりするものであってもよい。
【０１２０】
さらには、リモコン３００が、ＷｉＦｉ（登録商標）やＢｌｕｅｔｏｏｔｈ（登録商標）やｚｉｇｂｅｅ（登録商標）を介して、サーバ１００に各種の要求を送信したり、サーバ１００から空気調和機２００が実行中の制御命令を取得したりするものであってもよい。
【０１２１】
さらには、スマートフォンなどの通信端末５００が、リモコン３００の役割を担ってもよい。
＜第１１の実施の形態＞
【０１２２】
第１〜第１０の実施の形態にかかる空気調和システム１は、空気調和機２００が無線通信によって、ルータ４００やインターネットを介して、サーバ１００やリモコン３００と通信するものであった。しかしながら、そのような形態には限られない。本実施の形態においては、図２１に示すように、空気調和機２００に接続される通信アダプタ６００が、ＷｉＦｉ（登録商標）やＢｌｕｅｔｏｏｔｈ（登録商標）やｚｉｇｂｅｅ（登録商標）の通信を介して、ルータ４００やインターネットを介して、サーバ１００やリモコン３００と通信してもよい。なお、通信アダプタ６００は、空気調和機２００の出荷時や組み立て時に備え付けられるタイプのものであってもよいし、ユーザなどによって後付け可能なタイプであってもよい。
＜第１２の実施の形態＞
【０１２３】
第１〜第１１の実施の形態の空気調和システム１の各装置の役割の一部または全部を他の装置が実行してもよい。たとえば、サーバ１００や空気調和機２００やリモコン３００や通信端末５００の各々の役割の一部または全部を別の装置が担ったり、サーバ１００や空気調和機２００やリモコン３００や通信端末５００の各々の役割の一部または全部を複数の装置で担ったり、サーバ１００や空気調和機２００やリモコン３００や通信端末５００のいずれかがサーバ１００や空気調和機２００やリモコン３００や通信端末５００のいずれかの役割の一部または全部を担ったりしてもよい。
＜その他の応用例＞
【０１２４】
本発明は、システム或いは装置にプログラムを供給することによって達成される場合にも適用できることはいうまでもない。そして、本発明を達成するためのソフトウェアによって表されるプログラムを格納した記憶媒体（あるいはメモリ）を、システム或いは装置に供給し、そのシステム或いは装置のコンピュータ（又はＣＰＵやＭＰＵ）が記憶媒体に格納されたプログラムコードを読出し実行することによっても、本発明の効果を享受することが可能となる。
【０１２５】
この場合、記憶媒体から読出されたプログラムコード自体が前述した実施の形態の機能を実現することになり、そのプログラムコードを記憶した記憶媒体は本発明を構成することになる。
【０１２６】
また、コンピュータが読出したプログラムコードを実行することにより、前述した実施の形態の機能が実現されるだけでなく、そのプログラムコードの指示に基づき、コンピュータ上で稼動しているＯＳ（オペレーティングシステム）などが実際の処理の一部または全部を行い、その処理によって前述した実施の形態の機能が実現される場合も含まれることは言うまでもない。
【０１２７】
さらに、記憶媒体から読み出されたプログラムコードが、コンピュータに挿入された機能拡張ボードやコンピュータに接続された機能拡張ユニットに備わる他の記憶媒体に書き込まれた後、そのプログラムコードの指示に基づき、その機能拡張ボードや機能拡張ユニットに備わるＣＰＵなどが実際の処理の一部または全部を行い、その処理によって前述した実施の形態の機能が実現される場合も含まれることは言うまでもない。
＜まとめ＞
【０１２８】
上記の第１から第１２の実施の形態においては、サーバ１００からのデータを受け付けるための空気調和機２００と、リモコン３００と、を備える空気調和システム１が提供される。そして、リモコン３００が表示する情報の少なくとも一部と、サーバ１００からのデータに基づいて空気調和機２００が実行中の制御命令の情報の少なくとも一部と、を同期させる。
【０１２９】
好ましくは、リモコン３００が把持されたときに、またはリモコン３００に運転開始命令または操作命令が入力されたときに、リモコン３００が空気調和機２００に、サーバ１００からのデータに基づいて空気調和機２００が実行中の制御命令の情報の少なくとも一部を要求する。
【０１３０】
好ましくは、リモコン３００は定期的に、空気調和機２００に、サーバ１００からのデータに基づいて空気調和機２００が実行中の制御命令の情報の少なくとも一部を要求する。
【０１３１】
好ましくは、空気調和機２００がサーバ１００から制御命令を受け付けたときに、空気調和機２００が、サーバ１００からのデータに基づいて空気調和機２００が実行中の制御命令の情報の少なくとも一部を、リモコン３００に送信する。
【０１３２】
好ましくは、リモコン３００は、サーバ１００からのデータに基づいて空気調和機２００が実行中の制御命令の情報の少なくとも一部を表示する際に、所定の画像または所定のテキストを表示する。
【０１３３】
好ましくは、空気調和機２００は、リモコン３００を介して入力された制御命令の情報をサーバ１００にアップロードする。サーバ１００は、アップロードされた制御命令の情報に基づいて、空気調和機２００に対応するデータを更新する。
【０１３４】
好ましくは、空気調和機２００は、サーバ１００からのデータに基づく制御命令を実行しているときに、リモコン３００からの所定の制御命令を受け付けると、その後のサーバ１００からのデータに基づく制御命令を実行しない。なお、サーバ１００からのデータに基づく制御命令を空気調和機２００が実行しないのは、たとえば、電源のＯＮまたはＯＦＦ命令が入力されるまで、または特殊機能のＯＮまたはＯＦＦ命令が入力されるまで、またはリモコン３００からの当該所定の制御命令の受け付けから所定の期間が経過するまで、の少なくともいずれかであることが好ましい。
【０１３５】
好ましくは、空気調和機２００は、サーバ１００からのデータに基づいて空気調和機２００が制御命令を実行しているときに、リモコン３００からの制御命令を受け付けても、その後の通信端末５００からの遠隔制御命令は実行する。
【０１３６】
好ましくは、リモコン３００は、サーバ１００からのデータに基づいて空気調和機２００が実行している制御命令の少なくとも一部を取得して記憶し、その後にリモコン３００に運転終了命令が入力されると、リモコン３００は制御命令の少なくとも一部を引き続き記憶し、その後にリモコン３００に運転開始命令に入力されると、リモコン３００は記憶していた制御命令の少なくとも一部を表示するまたは空気調和機２００へ制御信号として送信する。
【０１３７】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１３８】
１        ：空気調和システム
１００    ：サーバ
１１０    ：プロセッサ（ＣＰＵ）
１２０    ：メモリ
１２１    ：制御命令データベース
１２２    ：電気機器データベース
１３０    ：ディスプレイ
１４０    ：操作部
１６０    ：通信インターフェイス
２００    ：空気調和機
２１０    ：ＣＰＵ
２２０    ：メモリ
２３０    ：ディスプレイ
２４０    ：操作部
２６０    ：通信インターフェイス
２７０    ：赤外線発信部
２８０    ：赤外線受信部
２９０    ：機器駆動部
３００    ：リモートコントローラ
３１０    ：ＣＰＵ
３２０    ：メモリ
３３０    ：ディスプレイ
３４０    ：操作部
３７０    ：赤外線発信部
３８０    ：赤外線受信部
３９０    ：タッチセンサ
４００    ：ルータ
５００    ：通信端末
５００Ａ  ：通信端末
５００Ｂ  ：通信端末
６００    ：通信アダプタ
【図１】
2018021710.tif 000003
【図２】
2018021710.tif 000004
【図３】
2018021710.tif 000005
【図４】
2018021710.tif 000006
【図５】
2018021710.tif 000007
【図６】
2018021710.tif 000008
【図７】
2018021710.tif 000009
【図８】
2018021710.tif 000010
【図９】
2018021710.tif 000011
【図１０】
2018021710.tif 000012
【図１１】
2018021710.tif 000013
【図１２】
2018021710.tif 000014
【図１３】
2018021710.tif 000015
【図１４】
2018021710.tif 000016
【図１５】
2018021710.tif 000017
【図１６】
2018021710.tif 000018
【図１７】
2018021710.tif 000019
【図１８】
2018021710.tif 000020
【図１９】
2018021710.tif 000021
【図２０】
2018021710.tif 000022
【図２１】
2018021710.tif 000023